(57)【特許請求の範囲】
【請求項１】
第1の親局装置と、複数の第１の子局装置と、該親局と複数の子局同士を接続する伝送路と、通信網の管理制御を行う管理装置とを備え、前記管理装置が第１の制御信号および監視信号を第１の通信プロトコルで前記第１の親局装置と複数の第１の子局のそれぞれとで通信して該第１の親局装置と複数の第１の子局のそれぞれを監視制御することで、前記第１の親局装置に接続された通信網と前記複数の第１の子局のそれぞれに接続された端末との間で信号を送受信する通信システムにおいて、
第２の親局装置と、複数の第２の子局装置と、該親局と複数の子局同士を接続する光伝送路とから成り、前記第２の親局装置と複数の第２の子局のそれぞれとが第２の制御信号および監視信号を第２の通信プロトコルを用いて通信して該第２の親局と複数の子局とを監視制御することで、前記第２の親局装置に接続された通信網と前記複数の第２の子局のそれぞれに接続された端末との間で信号を送受信する光受動網を備え、
前記第２の親局は前記管理装置と前記第１の通信プロトコルを送受信するインタフェースと、該第１の通信プロトコルと第１の制御信号および監視信号とを処理する処理部と、該処理部の出力に基づき該第１の通信プロトコルと第１の制御信号および監視信号とを前記第２のプロトコルと前記第２の制御信号および監視信号に変換する変換部を備え、
前記管理装置と前記光受動網の第２の親局とを接続し、該管理装置が前記第１の制御信号と監視信号を前記第１の通信プロトコルで前記第２の親局と送受信することで、前記通信網と端末との間での前記光受動網を介した信号の送受信を実施することを特徴とする光受動網を用いた通信システム。
【請求項２】
上記光受動網は、ＩＴＵ−Ｔ勧告Ｇ．９８３もしくはＩＥＥＥ標準８０２．３ａｈに記載された光受動網の親局に、上記インタフェースと処理部と変換部とを備えたものであることを特徴とする請求項１に記載の光受動網を用いた通信システム。
【請求項３】
上記第１の親局装置と第１の子局装置は、それぞれＤＯＣＳＩＳ標準に記載されたケーブルモデム終端装置とケーブルモデムで、上記第１の制御信号および監視信号と第１の通信プロトコルも、それぞれＤＯＣＳＩＳ標準に記載された信号と通信プロトコルであることを特徴とする請求項１もしくは請求項２のいずれかに記載の光受動網を用いた通信システム。
【請求項４】
第1の親局装置と、複数の第１の子局装置と、該親局と複数の子局同士を接続する伝送路と、通信網の管理制御を行う管理装置とを備え、前記管理装置が第１の制御信号および監視信号を第１の通信プロトコルで前記第１の親局装置と複数の第１の子局のそれぞれとで通信して該第１の親局装置と複数の第１の子局のそれぞれを監視制御することで、前記第１の親局装置に接続された通信網と前記複数の第１の子局のそれぞれに接続された端末との間で信号を送受信する通信システムに接続される光受動網であって、
第２の親局装置と、複数の第２の子局装置と、該親局と複数の子局同士を接続する光伝送路とから成り、前記第２の親局装置と複数の第２の子局のそれぞれとが第２の制御信号および監視信号を第２の通信プロトコルを用いて通信して該第２の親局と複数の子局とを監視制御することで、前記第２の親局装置に接続された通信網と前記複数の第２の子局のそれぞれに接続された端末との間で信号を送受信する光受動網の前記第２の親局に、
前記管理装置と前記第１の通信プロトコルを送受信するインタフェースと、
該第１の通信プロトコルと第１の制御信号および監視信号とを処理する処理部と、
該処理部の出力に基づき該第１の通信プロトコルと第１の制御信号および監視信号とを前記第２のプロトコルと前記第２の制御信号および監視信号に変換する変換部を備え、
前記管理装置と前記光受動網の第２の親局とを接続すると、該管理装置が前記第１の制御信号と監視信号を前記第１の通信プロトコルで前記第２の親局と送受信することで、前記通信網と端末との間での前記光受動網を介した信号の送受信を実施することを特徴とする光受動網。
【請求項５】
上記光受動網は、ＩＴＵ−Ｔ勧告Ｇ．９８３もしくはＩＥＥＥ標準８０２．３ａｈに記載された光受動網の親局に、上記インタフェースと処理部と変換部とを備えたものであることを特徴とする請求項４に記載の光受動網。
【発明の詳細な説明】
【技術分野】
【０００１】
本発明は、光ファイバ回線、光スプリッタ、およびその両端に置かれる装置により構成され、両端の装置間でのデータパケットの送受信、および一方の装置による他方の装置の管理や設定を可能とするシステムで、ＣＭＴＳ（Cable Modem Termination System）およびＣＭ（Cable Modem）の使用を想定して構築されたネットワークに光受動網（Passive  Optical  Network:以下、ＰＯＮと称する）を用いた通信システムに関する。
【背景技術】
【０００２】
近年、インターネット接続サービスを提供する通信事業者やインターネット上の映像サービス提供事業者による、ビデオ・オン・デマンド形態を主としたＩＰ（Internet Protocol）ベースの映像配信サービスが増加しており、今後はそれらのサービスの高画質化も見込まれる。このため、通信事業者と、その顧客である一般家庭や一般企業（以降はこれらをまとめて加入者と呼ぶ）との間を接続するアクセス回線にも、データ通信の更なる高速化が求められている。 
このアクセス回線の高速化のために、光ファイバを用いたアクセス回線の敷設が各地で進みつつある。光ファイバを用いた通信システムは、いくつかのシステムがあるが、アクセス回線において最も普及しているのはＰＯＮシステムである。ＰＯＮシステムは、通信事業者の局舎側に設置され親局に相当するＯＬＴ（Optical Line Terminal）、１本の光ファイバから受信した光信号を光のまま複数の光ファイバに向けて分岐中継する光スプリッタ、個別の加入者宅や複数の加入者が所在するビルに設置される子局に相当するＯＮＵ（Optical Network Unit、ＯＮＴ（Optical Network Terminal）とも呼ばれる）の、３種類の装置で構成される。ＯＬＴと光スプリッタとを接続する１本の光ファイバは、光スプリッタで複数の光ファイバへ分岐し、それぞれが１台ずつのＯＮＵに接続される。
【０００３】
一方、従来のインターネット接続サービスの形態の一つに、ケーブルテレビの映像配信用に敷設された同軸ケーブル回線を流用した、ケーブルインターネットがある。ケーブルインターネットのアクセス回線は一般的に、全区間が電線の一種である同軸ケーブルか、局舎に近い側（上流側）の区間を光ファイバに置き換えたＨＦＣ（Hybrid Fiber Coax）であるが、いずれの場合も加入者宅に近い側（下流側）の区間には同軸ケーブルが用いられる。また、局舎側の装置および加入者宅側の装置には一般的に、それぞれＣＭＴＳ（Cable Modem Termination System）およびＣＭ（Cable Modem）が用いられる。ＣＭＴＳは、同軸ケーブルインターフェースを備えており、ルータもしくはレイヤ２スイッチとして動作する装置である。ＣＭは同軸ケーブルインターフェースを備えており、ブリッジもしくはブロードバンドルータとして動作する装置である。
【０００４】
アクセス回線に同軸ケーブルが用いられているケーブルインターネットは、アクセス回線の全区間が光ファイバであるＰＯＮと比べて、回線速度において不利である。この解決策の一つとして、特許文献１および２に記されているように、複数のチャネルを束ねることにより通信速度を向上する方法も考えられるが、４チャンネルを束ねても１６０Ｍｂｉｔ／秒程度の回線速度までしか加入者に提供できない。その一方、現在主流であるＧＰＯＮ（Gigabit PON）やＧＥ−ＰＯＮ（Gigabit Ethernet（登録商標） PON）の標準を用いたＰＯＮシステムは、加入者に対して１Ｇｂｉｔ／秒以上の回線速度を提供可能である。
【０００５】
【特許文献１】特表２００７−５１６６４４号公報
【特許文献２】特開２００７−１２４３３６号公報
【発明の開示】
【発明が解決しようとする課題】
【０００６】
ケーブルインターネットのアクセス回線を高速化する最も有効かつ素直な方法は、局側装置をＣＭＴＳからＯＬＴに、加入者側装置をＣＭからＯＮＵに、それらの装置間のアクセス回線を光ファイバおよび光スプリッタに置き換えることであると考えられる。 
しかしその場合、置き換えに用いられるＯＬＴおよびＯＮＵは、それらの周辺のネットワークにおいて既に用いられている通信装置と問題なく接続できるインターフェースを備える必要がある。 
すなわち、主信号の通信に関して言えば、ＯＬＴの上流側網のインターフェース（以下、ＮＮＩ（Network Node Interface）またはＳＮＩ（Service Node Interface）と称する）は、ＣＭＴＳの上流側網のインターフェース（以下、ＮＳＩ（Network Side Interface）と称する）と互換性を持ち、上流に位置するルータもしくはレイヤ２スイッチと接続できる必要がある。また、ＯＮＵの下流側網のインターフェース（以下、ＵＮＩ（User Network Interface）と称する）は、ＣＭの下流側網のインターフェース（以下、ＣＭＣＩ（Cable Modem to CPE Interface）と称する）と互換性を持ち、下流に位置するＰＣ（Personal Computer）やブロードバンドルータといったＣＰＥ（Customer Premise Equipment）と接続できる必要がある。
【０００７】
更に、制御信号の通信に関して言えば、ＯＬＴはＣＭＴＳに対する管理・設定等の運用のためのＣＭＴＳ制御信号を、ＣＭＴＳに代わって受け付け、自らの動作に反映する必要がある。加えて、ＯＬＴはＣＭＴＳを経由してＣＭに対して送信されていたＣＭ制御信号をＯＮＵに向けて中継し、ＯＮＵはその制御信号を受信して自らの動作に反映する必要がある。
【０００８】
これらの要件のうち、主信号インターフェースに関しては、ＯＬＴのＮＮＩ、ＣＭＴＳのＮＳＩのいずれも、一般的なルータやレイヤ２スイッチが持つインターフェースと同じものであるため、周辺の通信装置とも問題なく接続できる。ＯＮＵのＵＮＩおよびＣＭのＣＭＣＩに関しても、いずれも一般の家庭や企業で用いられているＬＡＮ（Local Area Network）インターフェースであり接続性に問題はない。
【０００９】
しかし、制御信号については、ＰＯＮシステムとＣＭＴＳ・ＣＭとでは大きく異なる。ＣＭＴＳおよびＣＭの制御信号は、一般的にＤＯＣＳＩＳ（Data-Over-Cable Service Interface Specifications）と呼ばれる、ＣａｂｌｅＬａｂｓ社（Cable Television Laboratories, Inc.）により策定されたケーブルインターネットに関する標準に準拠したものとなっており、ＯＬＴおよびＯＮＵの標準とは異なるものである。例えば、ＤＯＣＳＩＳ標準では、ＳＮＭＰ（Simple Network Management Protocol）と呼ばれる通信装置管理プロトコルの、ＭＩＢ（Management Information Base）と呼ばれるデータ構造に関して、ＣＭＴＳおよびＣＭが対応すべきものが規定されている。しかし、そのデータ構造の一部はＤＯＣＳＩＳ標準独自のものとなっており、ＯＬＴやＯＮＵをはじめとした他の通信装置は対応していない。
【００１０】
特にＣＭの制御に関しては、ＳＮＭＰのＭＩＢのような制御信号データ構造のみならず、制御の方法がＯＮＵと異なる。すなわち、ＤＯＣＳＩＳ標準によると、ＣＭはＤＨＣＰ（Dynamic Host Configuration Protocol）と呼ばれるＩＰアドレス割当プロトコルを用いて、ＤＨＣＰサーバからＣＭ自身のＩＰアドレスを取得する。また、ＤＨＣＰサーバから受信したメッセージの中にＴＦＴＰ（Trivial File Transfer Protocol）サーバのアドレス情報、ＴＦＴＰサーバから受信すべき初期設定情報のファイル名、およびＴｉｍｅサーバのアドレス情報が含まれている。これらの情報を元に、ＣＭはＳＮＭＰマネージャへの管理情報の送信、ＴＦＴＰサーバからの初期設定情報の取得、Ｔｉｍｅサーバとの時刻同期のためのＩＰ通信を行う。これらの各種サーバは、一般的にＣＭＴＳよりも上流のネットワークに位置している。
【００１１】
一方、ＯＮＵは、制御通信のためのＩＰアドレスを持たず、ＤＨＣＰによるＩＰアドレス取得も行わない。このため、ＩＰレイヤを用いた通信であるＳＮＭＰ、ＴＦＴＰ、Ｔｉｍｅプロトコルの通信をＯＮＵ自身が行うこともない。代わりに、ＯＬＴとＯＮＵとの間（以下、ＰＯＮ区間と称する）では、それらの装置が採用するＰＯＮの標準に基づく（もしくはそれにベンダ独自の拡張を追加した）通信プロトコルを用いて、同様の機能が実現されている。例えば、ＧＥ−ＰＯＮでは、ＯＮＵのＯＬＴへの初期登録通信や時刻同期通信はＩＥＥＥ（Institute of Electrical and Electronics Engineers, Inc.）８０２．３ａｈ標準のＭＰＣＰ（Multi Point Control Protocol）プロトコルにより、ＯＮＵに関する管理情報の通信は、ＩＥＥＥ８０２．３ａｈ標準のＯＡＭ（Operation, Administration and Maintenance）副層により行われるものである。
【００１２】
上述したＰＯＮとＣＭＴＳ・ＣＭとの制御通信の差異を残したままＰＯＮを配備し運用する方法も考えられる。しかし、その場合は、ＣＭＴＳ・ＣＭ用の装置管理システムとＰＯＮ用の装置管理システムの両方を、上流の装置管理網に配備する必要があり管理が複雑になる。更に、両者の管理用ユーザインターフェースのみを統合する方法も考えられるが、その場合は開発コストがかかってしまう。
【００１３】
また、別の解決方法として、ＰＯＮ区間の制御通信方法をＣＭＴＳ・ＣＭ間と同様のものに変更する方法も考えられる。しかし、その場合は、ＰＯＮ区間の制御通信がＰＯＮ標準と大きく異なるものになるばかりでなく、ＣＭＴＳ・ＣＭ間と同様の制御通信を行うための開発が、ＯＬＴとＯＮＵの双方に必要になる。
【００１４】
本発明の目的は、装置管理システム等の周辺の装置やシステムに大きな変更を加えることなく、かつ、ＰＯＮ区間の通信方式をＰＯＮ標準から大きく変えることなく、既にＣＭＴＳおよびＣＭを導入済みの通信事業者が、ＣＭＴＳおよびＣＭの代わりに容易に導入可能で、ＣＭＴＳおよびＣＭと同様の管理が可能なＰＯＮシステムを提供することである。
【課題を解決するための手段】
【００１５】
上記の目的を達成するために、本発明の通信システムで用いるＰＯＮは、その局側装置であるＯＬＴが、その装置管理インターフェースを通してＣＭＴＳおよびＣＭの装置制御信号と同じ形式の制御信号（以下、単にＣＭＴＳ装置制御信号、ＣＭ装置制御信号と称する）を送受信する。 
そして、ＯＬＴは、受信したＣＭＴＳ装置制御信号を自ら処理する。また、装置制御信号を装置管理インターフェースから送信する場合は、ＣＭＴＳ装置制御信号の形式で送信する。 
また、ＯＬＴは、装置管理インターフェースにおいて受信したＣＭ装置制御信号を、ＰＯＮ区間において用いられるＯＮＵ装置制御信号に変換し、ＯＮＵに向けて送信する。逆に、ＰＯＮ区間を経由してＯＮＵから受信したＯＮＵ装置制御信号を、ＣＭ装置制御信号に変換し、装置管理インターフェースから送出する。
【００１６】
より具体的には、ＯＬＴがＰＯＮ区間のプロトコルによって新たなＯＮＵが当該ＯＬＴに接続されたことを検知すると、ＤＨＣＰを用いて、本来はＣＭが割当を受けるＩＰアドレスを自ら受け、このＩＰアドレスを当該ＯＮＵに対応付けて記憶する。 
続いて、ＯＬＴは、ＤＨＣＰにより取得したＴＦＴＰサーバのアドレス情報およびファイル名を用いてＣＭの初期設定情報を受信し、この内容に対応する初期設定を、ＰＯＮ区間のプロトコルを用いて当該ＯＮＵに対して行う（もしくはＯＬＴ自身の設定に反映する）。例えば、ＧＥ−ＰＯＮ標準に基づくＰＯＮであれば、初期設定ファイルに含まれる上り通信帯域幅の設定を、ＭＰＣＰを用いて、ＰＯＮ区間の通信帯域幅制御（以下、ＤＢＡ（Dynamic Bandwidth Allocation）と称する）機能の設定に反映する。
【００１７】
また、ＯＬＴは、装置管理インターフェースにおいてＳＮＭＰメッセージを受信すると、その宛先ＩＰアドレスに基づいて、当該メッセージをどのＯＮＵ（もしくはＯＬＴ自身）が処理すべきかを判定し、そのＯＮＵに向けて、ＰＯＮ区間のプロトコルに変換した当該メッセージを転送する。逆に、ＯＮＵからＰＯＮ区間のプロトコルによる装置管理情報を受信すると、ＯＮＵと割当ＩＰアドレスとの対応表を用いて、当該ＯＮＵに割り当てたＩＰアドレスを調べる。そして、当該装置管理情報をＳＮＭＰメッセージに変換し、当該ＩＰアドレスを送信元として装置管理インターフェースから送出する。
【００１８】
本発明のＯＮＵは、ＰＯＮ標準に基づくＯＮＵと同様に、ＰＯＮ区間を経由してＯＬＴとの間でＯＮＵ装置制御信号を送受信する。すなわち、本発明のＯＮＵは、一般的なＰＯＮシステムのＯＮＵと同じものである。
以上により、装置管理システムからは、本発明のＰＯＮがＣＭＴＳおよびＣＭと同様に見えるため、システム管理者はＣＭＴＳおよびＣＭと同様の方法でＰＯＮシステムを制御できる。また、ＰＯＮシステムのＰＯＮ区間において用いられる制御信号は、一般的なＰＯＮシステムと同様のものとなる。
【発明の効果】
【００１９】
本発明により、ＣＭＴＳおよびＣＭを配備済みの通信事業者は、光ファイバの敷設と、本発明のＰＯＮシステムの配備のみで、装置管理システムにほとんど手を加えることなくＰＯＮの導入が可能になる。しかも、ＣＭＴＳ・ＣＭ用と同じ装置管理システムを利用できるため、システム管理者は容易にＰＯＮを管理することができ、装置管理システムへの追加投資も抑えることができる。そして、ＰＯＮの導入により、同軸ケーブルを用いたケーブルインターネットでは提供できなかった１Ｇｂｉｔ／秒以上の速度のアクセス回線を加入者に提供することが可能になる。
【００２０】
また、本発明のＰＯＮで行うＰＯＮ区間の通信は、ＰＯＮ標準を採用する一般的なＰＯＮシステムと同じであり、かつ、本発明のＯＮＵが持つ機能は一般的なＰＯＮシステムのＯＮＵと同じである。このため、本発明のＯＬＴと、同一のＰＯＮ標準を採用する他の一般的なＯＮＵとを組み合わせてシステムを組むことも可能である。
【発明を実施するための最良の形態】
【００２１】
以下、図面を用いて本発明のＰＯＮを用いた通信システムの構成と動作を詳細に説明する。なお、以下では、ＩＥＥＥ標準８０２．３ａｈで規格化されたＧＥ−ＰＯＮを本発明のＰＯＮとして使用する例で説明を行うが、ＩＴＵ−Ｔ標準Ｇ．９８３で規格化されたＧＰＯＮ等の他のＰＯＮを適用しても本発明を実施可能である。
【００２２】
図１は、ＰＯＮの装置と通信インターフェース構成、および、送受信する信号の構成例を示す説明図である。 
本発明のＰＯＮは、局側装置であるＯＬＴ１０１と、加入者側装置であるＯＮＵ  １０２により構成される。ＯＬＴ１０１とＯＮＵ１０２との間（ＰＯＮ区間）は、ＰＯＮ回線１１３により接続される。一般的には、ＰＯＮ回線１１３の物理メディアは光ファイバである。尚、ＰＯＮ回線１１３の途中には、光信号に対して分岐・合流等の処理を行う光スプリッタと呼ばれる光信号の分岐・合流装置が設置されＯＮＵ１０２が複数備えられる構成が一般的であるが、同図では省略してある。ＯＮＵが単数でも複数でも本発明は問題なく実施可能である。
【００２３】
ＯＬＴ１０１は、ＯＬＴの上流の網に接続する物理的なインターフェースとしてＮＮＩ１１１と装置管理インターフェース１１２を持つ。同図では、ＮＮＩ１１１と装置管理インターフェース１１２とを、それぞれ物理的に１つのインターフェースとして記載したが、それぞれ複数の物理インターフェースで構成しても良い。また、ＯＮＵ１０２は、ＯＮＵの下流の網に接続する物理的なインターフェースとしてＵＮＩ１１５を持つ。なお、ＵＮＩ１１５も、ＮＮＩ１１１と同様に複数の物理インターフェースで構成しても良い。
【００２４】
ＯＬＴ１０１は、主信号および主信号経路制御信号１２１を、ＮＮＩ１１１を通して上流の網との間で送受信する。また、ＣＭＴＳおよびＣＭの装置制御信号１２２を装置管理インターフェース１１２を通して上流の網との間で送受信する。さらに、ＰＯＮ形式の主信号１２３およびＯＮＵの装置制御信号１２４をＰＯＮ回線１１３を通してＯＮＵ１０２との間で送受信する。また、ＯＮＵ１０２は、主信号１２５を、ＵＮＩ１１５を通して下流の網との間で送受信する。さらに、ＰＯＮ形式の主信号１２３およびＯＮＵの装置制御信号１２４をＰＯＮ回線１１３を通してＯＬＴ１０１との間で送受信する。尚、主信号には、ＯＬＴ１０１の上流の網に置かれた通信装置と、ＯＮＵ１０２の下流の網に置かれた通信装置との間で送受信される各種の制御信号も含まれる。
【００２５】
図２は、本発明のＰＯＮを用いた通信システムの構成例を示すシステム構成図である。 
同図では、ＰＯＮ回線１１３の途中に光スプリッタ２２１を配置して、ＯＬＴ１０１が複数のＰＯＮ回線１１３を収容する構成を示したが、光スプリッタ２２１の有無やＯＬＴ１０１が収容可能なＰＯＮ回線１１３の数に関わらず、本発明は実施可能である。また、同図は、ＯＬＴ１０１が1台配備されているが、ＯＬＴ１０１が複数配備されても本発明は実施可能である。
【００２６】
ＯＬＴ１０１のＮＮＩ１１１は、主信号中継網２３１への接続点となるルータもしくはレイヤ２スイッチ２４１と接続される。装置管理インターフェース１１２は、ＣＭＴＳおよびＣＭの装置管理網２３２へ接続される。ＯＮＵ１０２のＵＮＩ１１５は、加入者網２３３への接続点となるＣＰＥ２４３と接続される。
【００２７】
主信号中継網２３１およびＣＭＴＳ／ＣＭ装置管理網２３２の下流には、ＯＬＴ１０１の他に、ケーブルインターネットの局側装置であるＣＭＴＳ２０１が接続される。ＣＭＴＳは、ＮＳＩ２１１を通して主信号中継網２３１への接続点となるルータもしくはレイヤ２スイッチ２４１と接続され、装置管理インターフェース２１２を通してＣＭＴＳ／ＣＭ装置管理網２３２へ接続される。
【００２８】
一般的に、ＣＭＴＳ２０１の下流側インターフェースは、同軸ケーブル２１４であり、これが加入者側装置であるＣＭ２０２に接続される。ＣＭＴＳ２０１とＣＭ２０２とは、同軸ケーブル２１４により直接接続される場合もあるが、一旦光ファイバ２１３を経由して接続される場合もある。光ファイバ２１３を経由する場合は、局側に置かれた光伝送装置２２３および回線の途中に置かれたＨＦＣノード２２２にて、同軸ケーブル２１４の電気信号と光ファイバ２１３の光信号との間の変換が行われる。ＣＭ２０２のＣＭＣＩ２１５は、加入者網２３３への接続点となるＣＰＥ２４３と接続される。
【００２９】
尚、本発明は、ＣＭＴＳ２０１の下流の網の構成とは無関係に実施可能である。また、同図では、ＣＭＴＳ１０１が1台配備されているが、複数配備されている場合でも、全く配備されていない場合でも、本発明は実施可能である。
【００３０】
主信号中継網２３１は、局側装置との間で主信号を送受信することにより、加入者網２３３同士、もしくは加入者網２３３と主信号中継網２３１内に存在するホストとの通信を可能とする網である。この主信号中継網２３１には、加入者に通信サービスを提供する通信事業者の網が含まれる。又、別の通信事業者の網やインターネットが含まれてもよい。加入者網２３３は、家庭内や企業拠点内等に構築された加入者自身の網である。
【００３１】
ＣＭＴＳ／ＣＭ装置管理網２３２は、ＣＭＴＳ／ＣＭ装置管理システム２５０を備えた通信事業者の網である。通信事業者の網管理者は、ＣＭＴＳ／ＣＭ装置管理システム２５０を操作および監視することにより、ＣＭＴＳ２０１およびＣＭ２０２を管理する。本発明のＰＯＮシステムは、以下で詳細に説明するように、このＣＭＴＳ／ＣＭ装置管理システム２５０を用いて管理することができるものである。
【００３２】
ＣＭＴＳ／ＣＭ装置管理システム２５０は、ＣＭＴＳ装置管理サーバ２５１、ＣＭ  ＩＰアドレス割当サーバ２６１、ＣＭ管理情報収集サーバ２６２、ＣＭ設定情報管理サーバ２６３、時刻同期サーバ２６４とを備える構成とした。 
ＣＭＴＳ装置管理サーバ２５１は、ＣＭＴＳ２０１とＯＬＴ１０１との間でＣＭＴＳ装置制御信号を送受信することでＣＭＴＳ２０１とＯＬＴ１０１の管理を行う。 
ＣＭ  ＩＰアドレス割当サーバ２６１は、ＣＭ２０２と本発明のＰＯＮ（ＯＬＴ１０１）との間でＣＭ  ＩＰアドレス割当信号を送受信することでＣＭ２０２およびＰＯＮにＣＭ装置管理通信用のＩＰアドレスを割り当てる。このＰＯＮに割り当てたＩＰアドレスが、後述するようにＯＮＵ２０２等の識別子に対応するので、先に述べたように、或いは、詳細を後述するようにＣＭＴＳとＣＭからなるシステムへのＰＯＮの導入が容易に実現できるようになる。
【００３３】
ＣＭ管理情報収集サーバ２６２は、ＣＭ２０２とＰＯＮとの間でＣＭ管理情報信号を送受信することでＣＭ２０２とＯＮＵ１０２の装置管理情報を収集する。 
ＣＭ設定情報管理サーバ２６３は、ＣＭ２０２とＰＯＮとの間でＣＭ設定情報信号を送受信することでＣＭ２０２とＯＮＵ１０２の初期設定を行う。 
時刻同期サーバ２６４は、ＣＭ２０２とＰＯＮとの間でＣＭ時刻同期信号を送受信するでＣＭ２０２とＯＮＵ１０２に適切な時刻を設定する。
【００３４】
尚、上記各サーバの名称や機能分担は一例であり、ＣＭＴＳ／ＣＭ装置管理システム２５０内のサーバの構成（たとえば数・種類）が、上記以外の構成であっても後述するような機能と動作を行う構成であれば良く、本発明を実施可能である。例えば、ＣＭＴＳ装置管理サーバ２５１の機能の一部がＣＭ管理情報収集サーバ２６２内に含まれていても良いし、ＣＭ設定情報管理サーバ２６３と時刻同期サーバ２６４の両機能が物理的に同じサーバに同居しても良い。また、ＣＭＴＳ／ＣＭ装置管理システム２５０内に、図２に示したサーバ以外のサーバが含まれていてもかまわない。
【００３５】
図３は、本発明のＰＯＮに備えるＯＬＴの内部機能と、各機能が送受信する信号の構成例を示すブロック構成図である。 
ＯＬＴ１０１は、主信号中継機能３０１、主信号中継制御機能３０２、ＣＭＴＳ装置制御信号処理機能３０３、およびＣＭ装置制御信号変換機能３０４を備える構成とした。以下、各機能の詳細構成や動作を説明する。
【００３６】
主信号中継機能３０１は、主信号・主信号経路制御信号１２１のうちＮＮＩ主信号３１１をＮＮＩから受信し、これをＰＯＮ形式主信号１２３に変換し、ＰＯＮ回線へ送信する。ＰＯＮ形式主信号１２３とは、例えば、ＩＥＥＥ  ８０２．３ａｈで規定されたＧＥ−ＰＯＮであれば、プリアンブルの一部に宛先（または送信元）ＯＮＵを示すＬＬＩＤ（Logical Link ID）が含まれているレイヤ２フレームである。また、主信号中継機能３０１は、ＰＯＮ形式主信号１２３をＰＯＮ回線から受信し、これをＮＮＩ主信号３１１に変換し、ＮＮＩへ送信する。なお、主信号中継機能３０１は、主信号中継制御機能３０２、ＣＭＴＳ装置制御信号処理機能３０３、およびＣＭ装置制御信号変換機能３０４から、ＮＮＩ主信号３１１およびＰＯＮ形式主信号１２３を受信した際に適切な中継先を決定するために必要な情報を受け取る。
【００３７】
主信号中継制御機能３０２は、主信号・主信号経路制御信号１２１のうち主信号経路制御信号３１２をＮＮＩから受信し、その内容に従った経路制御処理を行う。また、場合によってはＮＮＩ主信号３１１およびＰＯＮ形式主信号１２３のパケットデータの一部を用いて経路制御処理を行う。この経路制御処理の結果は、主信号中継機能３０１による主信号の中継先の決定処理に反映される。この主信号中継制御機能３０２は、主信号中継機能３０１がレイヤ３でパケットを中継する場合、各種ルーティングプロトコル処理、ＡＲＰ（Address Resolution Protocol）処理、ＩＧＭＰ（Internet Group Management Protocol）処理等の各機能を備える。また、主信号中継機能３０１がレイヤ２でパケットを中継する場合、ＭＡＣ（Media Access Control）アドレス学習処理、ＳＴＰ（Spanning Tree Protocol）処理、ＩＧＭＰスヌーピング処理等の各機能を備える。
【００３８】
ＣＭＴＳ装置制御信号処理機能３０３は、ＣＭＴＳ／ＣＭ装置管理システム２５０内のＣＭＴＳ装置管理サーバ２５１から、ＣＭＴＳ／ＣＭ装置制御信号１２２のうちＣＭＴＳ装置制御信号３２１を受信し、その信号の内容に応じてＯＬＴ１０１の制御処理を行う。また、受信したＣＭＴＳ装置制御信号３２１の処理結果や、ＯＬＴ１０１の動作状況に応じて、ＣＭＴＳ装置制御信号３２１を、ＣＭＴＳ／ＣＭ装置管理システム２５０内のＣＭＴＳ装置管理サーバ２５１に向けて送信する。この機能により、ＣＭＴＳ／ＣＭ装置管理システム２５０は、ＯＬＴ１０１の管理情報の取得や各種設定を、ＣＭＴＳと同じ方法で行うことができる。
【００３９】
ＣＭ装置制御信号変換機能３０４は、ＣＭＴＳ／ＣＭ装置管理システム２５０から、ＣＭＴＳ／ＣＭ装置制御信号１２２のうちＣＭ装置制御信号３２２を受信し、その信号をＯＮＵ装置制御信号１２４に変換し、ＰＯＮ回線へ送信する。また、ＰＯＮ回線からＯＮＵ装置制御信号１２４を受信し、その信号をＣＭ装置制御信号３２２に変換し、ＣＭＴＳ／ＣＭ装置管理システム２５０に向けて送信する。この機能により、ＣＭＴＳ／ＣＭ装置管理システム２５０は、ＯＮＵ１０２の管理情報の取得や各種設定を、ＣＭと同じ方法で行うことができる。
【００４０】
図４は、本発明のＰＯＮに備えるＯＮＵの内部機能と、各機能が送受信する信号の構成例を示すブロック構成図である。 
ＯＮＵ１０２は、主信号中継機能４０１、主信号中継制御機能４０２、およびＯＮＵ装置制御信号処理機能４０３を備える構成とした。以下、各機能の詳細構成や動作を説明する。
【００４１】
主信号中継機能４０１は、ＰＯＮ形式主信号１２３をＰＯＮ回線から受信し、これをＵＮＩ主信号１２５に変換し、ＵＮＩへ送信する。また、ＵＮＩ主信号１２５をＵＮＩから受信し、これをＰＯＮ形式主信号１２３に変換し、ＰＯＮ回線へ送信する。なお、主信号中継機能４０１は、主信号中継制御機能４０２およびＯＮＵ装置制御信号処理機能４０３から、ＵＮＩ主信号１２５およびＰＯＮ形式主信号１２３を受信した際に適切な中継先を決定するために必要な情報を受け取る。
【００４２】
主信号中継制御機能４０２は、ＵＮＩ主信号１２５およびＰＯＮ形式主信号１２３のパケットデータの一部を用いて経路制御処理を行う。この経路制御処理の結果は、主信号中継機能４０１による主信号の中継先の決定処理に反映される。この主信号中継制御機能４０２にはＩＧＭＰスヌーピング処理等を備える。
【００４３】
ＯＮＵ装置制御信号処理機能４０３は、ＯＬＴ１０１からＯＮＵ装置制御信号１２４を受信し、その信号の内容に応じてＯＮＵ１０２の制御処理を行う。また、受信したＯＮＵ装置制御信号１２４の処理結果や、ＯＮＵ１０２の動作状況に応じて、ＯＮＵ装置制御信号１２４をＯＬＴ１０１に向けて送信する。 
尚、以上で説明したＯＮＵ１０２の機能は、一般的なＯＮＵの機能と同じである。
【００４４】
図５は、ＯＬＴに備えたＣＭ装置制御信号変換機能の構成と送受信する信号の構成例を示すブロック構成図である。 
ＣＭ装置制御信号変換機能３０４は、ＣＭ  ＩＰアドレス取得機能５０１、ＣＭ管理情報変換機能５０２、ＣＭ設定取得・変換機能５０３、およびＣＭ時刻同期機能５０４を備える。また、ＣＭ−ＯＮＵ対応表５５１も備える。
【００４５】
ＣＭ  ＩＰアドレス取得機能５０１は、ＯＮＵ装置制御信号１２４の一種であるＯＮＵ登録信号５４１により、ＯＮＵ１０２がＯＬＴ１０１に新たに登録されたこと知る。そして、これを契機に、ＣＭＴＳ／ＣＭ装置管理システム２５０内のＣＭ  ＩＰアドレス割当サーバ２６１に対して、ＣＭ装置制御信号３２２の一種であるＣＭ  ＩＰアドレス割当信号５２１を用いて、ＣＭ装置管理通信用のＩＰアドレスの取得を要求する。その結果、ＩＰアドレスの取得に成功すると、そのＩＰアドレスとＯＮＵとの対応付けをＣＭ−ＯＮＵ対応表５５１に記録する。
【００４６】
ＣＭ管理情報変換機能５０２は、ＣＭ装置制御信号３２２の一種であるＣＭ管理情報信号５２２に基づく管理情報取得（または設定）要求を受信し、これをＯＮＵ装置制御信号１２４の一種であるＯＮＵ管理情報信号５４２に基づく管理情報取得（または設定）要求に変換する。また、管理情報取得（または設定）要求メッセージの宛先ＩＰアドレスを元に、ＣＭ−ＯＮＵ対応表５５１を用いて、要求の転送先として適切なＯＮＵを決定する。そして、そのＯＮＵに向けて、変換後の要求を転送する。
【００４７】
また、ＣＭ管理情報変換機能５０２は、ＯＮＵ管理情報信号５４２に基づく管理情報取得（または設定）応答をＯＮＵ１０２から受信すると、これをＣＭ管理情報信号５２２に基づく管理情報取得（または設定）応答に変換する。そして、この管理情報取得（または設定）応答に対応する管理情報取得（または設定）要求のＩＰヘッダに含まれていた送信元・宛先ＩＰアドレスをそれぞれ宛先・送信元ＩＰアドレスとする応答を、ＣＭＴＳ／ＣＭ装置管理システム２５０内のＣＭ管理情報収集サーバ２６２に向けて転送する。
【００４８】
また、ＣＭ管理情報変換機能５０２は、ＯＮＵ管理情報信号５４２に基づく管理情報通知をＯＮＵ１０２から受信すると、これをＣＭ管理情報信号５２２に基づく管理情報通知に変換する。また、ＯＮＵ管理情報信号５４２に基づく管理情報通知の送信元ＯＮＵに対応するＣＭ  ＩＰアドレスを、ＣＭ−ＯＮＵ対応表５５１を用いて決定する。そして、そのＩＰアドレスを送信元とする通知を、ＣＭＴＳ／ＣＭ装置管理システム２５０内のＣＭ管理情報収集サーバ２６２に向けて転送する。
【００４９】
ＣＭ設定取得・変換機能５０３は、ＣＭ−ＯＮＵ対応表５５１に登録されているＩＰアドレスを自側ＩＰアドレスに用いて、ＣＭ装置制御信号３２２の一種であるＣＭ設定情報信号５２３に基づくＣＭ設定情報を、ＣＭＴＳ／ＣＭ装置管理システム２５０内のＣＭ設定情報管理サーバ２６３から取得する。そして、これをＯＬＴ自身の設定、およびＯＮＵ装置制御信号１２４の一種であるＯＮＵ設定情報信号５４３に変換し、ＣＭ−ＯＮＵ対応表５５１により先の自側ＩＰアドレスと対応付けられているＯＮＵに向けて、変換後のＯＮＵ設定情報信号５４３を転送する。
【００５０】
ＣＭ時刻同期機能５０４は、ＣＭ装置制御信号３２２の一種であるＣＭ時刻同期信号５２４を用いて、ＣＭＴＳ／ＣＭ装置管理システム２５０内の時刻同期サーバ２６４との間で、ＯＬＴ１０１の時刻同期を行う。そして、ＯＮＵ装置制御信号１２４の一種であるＯＮＵ時刻同期信号５４４を用いて、ＣＭ−ＯＮＵ対応表５５１に登録されている各ＯＮＵの時刻同期を行う。
【００５１】
ＣＭ−ＯＮＵ対応表５５１は、ＣＭと同様の手順により取得したＩＰアドレスと、そのＩＰアドレスと対応付けられたＯＮＵとの対応付けを記録するための表である。
【００５２】
なお、ＤＯＣＳＩＳ標準に基づくならば、ＣＭ  ＩＰアドレス割当信号５２１、ＣＭ管理情報信号５２２、ＣＭ設定情報信号５２３、ＣＭ時刻同期信号５２４には、それぞれＤＨＣＰ、ＳＮＭＰ（管理情報通知の一部はＳｙｓｌｏｇ）、ＴＦＴＰ、Ｔｉｍｅといったプロトコルを用いる。 
また、ＧＥ−ＰＯＮであれば、ＯＮＵ登録信号５４１、ＯＮＵ設定情報信号５４３およびＯＮＵ時刻同期信号５４４の一部または全てにＩＥＥＥ８０２．３ａｈ標準のＭＰＣＰプロトコルが用いられ、ＯＮＵ管理情報信号５４２とＯＮＵ設定情報信号５４３の一部または全てに同標準のＯＡＭ副層を用いる。
【００５３】
図６は、ＯＬＴに備えたＣＭ  ＩＰアドレス取得機能の動作例を示すシーケンス図で、ＣＭ  ＩＰアドレス取得処理の一例を示す図である。 
ＯＬＴ１０１は、新たに接続されたＯＮＵ１０２との間でＯＮＵ登録信号５４１を送受信することにより、ＯＮＵ登録シーケンスを実行する（ステップ６１０）。より詳細には、ＰＯＮがＧＥ−ＰＯＮであれば、ＭＰＣＰのＰ２ＭＰ（Point to Multipoint）ディスカバリ手順が用いられ、ＯＮＵへのＧＡＴＥ（Ｄｉｓｃｏｖｅｒｙ）メッセージ送信（ステップ６１１）、ＯＮＵからのＲＥＧＩＳＴＥＲ＿ＲＥＱメッセージ受信（ステップ６１２）、ＯＮＵへのＲＥＧＩＳＴＥＲメッセージ送信（ステップ６１３）、ＯＮＵへのＧＡＴＥ（Ｎｏｒｍａｌ）メッセージ送信（ステップ６１４）、ＯＮＵからのＲＥＧＩＳＴＥＲ＿ＡＣＫメッセージ受信（ステップ６１５）の手順により行われる。これにより、ＯＬＴ１０１はそのＯＮＵ１０２との間で通信を可能にし、そのＯＮＵ１０２の固有識別子等の情報を得る。
【００５４】
次に、ＯＬＴ１０１は、ステップ６１０により得たＯＮＵ固有識別子を、ＣＭ−ＯＮＵ対応表５５１に登録する（ステップ６２０）。 
続いて、ＯＬＴ１０１は、ステップ６２０により登録されたＯＮＵに対応するＩＰアドレスを取得するために、ＣＭ  ＩＰアドレス割当信号５２１を用いて、ＣＭ  ＩＰアドレス取得シーケンスを実行する（ステップ６３０）。ＤＯＣＳＩＳ標準に従えば、ＤＨＣＰが用いられ、ＣＭ  ＩＰアドレス割当サーバ２６１へのＤｉｓｃｏｖｅｒメッセージ送信（ステップ６３１）、ＣＭ  ＩＰアドレス割当サーバ２６１からのＯｆｆｅｒメッセージ受信（ステップ６３２）、ＣＭ  ＩＰアドレス割当サーバ２６１へのＲｅｑｕｅｓｔメッセージ送信（ステップ６３３）、ＣＭ  ＩＰアドレス割当サーバ２６１からのＡｃｋメッセージ受信（ステップ６３４）の順でパケット送受信が行われる。
【００５５】
以上の処理により、ＯＮＵ１０２の固有識別子と、それに対応付けられたＣＭ  ＩＰアドレスが得られるので、この対をＣＭ−ＯＮＵ対応表５５１に記録する（ステップ６４０）。また、ステップ６１０および６３０において得られた他の情報も併せてＣＭ−ＯＮＵ対応表５５１に記録してもよい。例えば、ＤＯＣＳＩＳ標準に従う場合は、ステップ６３０によりＣＭ設定情報管理サーバ２６３のＩＰアドレスおよび設定情報のファイル名が得られるので、これらの情報をＣＭ−ＯＮＵ対応表５５１に記録しても良い。
【００５６】
図７は、ＯＬＴに備えたＣＭ管理情報変換機能の動作例を示すシーケンス図で、ＣＭ管理情報取得処理の一例を示す図である。 
ＯＬＴ１０１は、ＣＭ管理情報収集サーバ２６２から、ＣＭ−ＯＮＵ対応表５５１に記録されているＩＰアドレスのうちの一つを宛先とするＣＭ管理情報取得（または設定）要求メッセージを受信する（ステップ７１１）。このＣＭ管理情報取得（または設定）要求メッセージは、ＣＭ管理情報信号５２２の一つでＤＯＣＳＩＳ標準に従えば、ＳＮＭＰのＧｅｔＲｅｑｕｅｓｔメッセージやＳｅｔＲｅｑｕｅｓｔメッセージ等を用いる。
【００５７】
ＯＬＴ１０１は、ステップ７１１にて受信したＣＭ管理情報取得（または設定）要求メッセージの宛先ＩＰアドレスと対応付けられているＯＮＵ１０２を、ＣＭ−ＯＮＵ対応表５５１を用いて決定する（ステップ７２０）。そして、ＣＭ管理情報取得（または設定）要求メッセージの内容を適切なＯＮＵ管理情報信号５４２に変換し、決定したＯＮＵ１０２との間で、変換後のメッセージを用いてＯＮＵ管理情報取得（または設定）シーケンスを実行する（ステップ７３０）。ＧＥ−ＰＯＮであれば、一例として、ＯＡＭ副層のＰＤＵ（Protocol Data Unit）を用いた、ＯＮＵへのＶａｒｉａｂｌｅ  Ｒｅｑｕｅｓｔメッセージ送信（ステップ７３１）、ＯＮＵからのＶａｒｉａｂｌｅ  Ｒｅｓｐｏｎｓｅメッセージ受信（ステップ７３２）の手順により行うが、他の手段を用いてもかまわない。このシーケンスの実行により、ＯＬＴ１０１は、管理情報取得（または設定）対象としたＯＮＵ１０２に関する適切な管理情報（または設定実行結果）を得る。
【００５８】
続いて、ＯＬＴ１０１は、元のＣＭ管理情報取得（または設定）要求メッセージの宛先を送信元、送信元を宛先とする、ＣＭ管理情報取得（または設定）応答メッセージを返信する（ステップ７４１）。この応答メッセージには、先のステップ７３０によって得られた結果を、ＣＭ管理情報信号５２２の形式に変換したものが含まれる。ＤＯＣＳＩＳ標準に従えば、ＣＭ管理情報取得（または設定）応答メッセージとしてＳＮＭＰのＲｅｓｐｏｎｓｅメッセージを用いる。
【００５９】
図８は、ＯＬＴに備えたＣＭ管理情報変換機能の動作例を示すシーケンス図で、ＣＭ管理情報通知処理の一例を示す図である。 
ＯＬＴ１０１は、ＯＮＵ１０２からＯＮＵ管理情報通知メッセージを受信する（ステップ８１１）。このＯＮＵ管理情報通知メッセージは、ＯＮＵ管理情報信号５４２の一つである。ＧＥ−ＰＯＮであれば、一例として、ＯＡＭ副層のＥｖｅｎｔ  Ｎｏｔｉｆｉｃａｔｉｏｎメッセージを用いるが、他の手段を用いてもかまわない。
【００６０】
ＯＬＴ１０１は、ステップ８１１で受信したＯＮＵ管理情報通知メッセージの送信元ＯＮＵ１０２と対応付けられているＩＰアドレスを、ＣＭ−ＯＮＵ対応表５５１を用いて決定する（ステップ８２０）。そして、ＯＮＵ管理情報通知メッセージの内容を適切なＣＭ管理情報信号５２２に変換し、ステップ８２０で決定したＩＰアドレスを送信元とするＣＭ管理情報通知メッセージを、ＣＭ管理情報収集サーバ２６２に向けて送信する（ステップ８３１）。このＣＭ管理情報通知メッセージは、ＣＭ管理情報信号５２２の一つである。ＤＯＣＳＩＳ標準に従えば、ＳＮＭＰのＴｒａｐメッセージや、Ｓｙｓｌｏｇプロトコルメッセージ等を用いる。
【００６１】
尚、同図では、ステップ８１１がＯＮＵからＯＬＴへの管理情報通知メッセージであるとしたが、ＯＬＴからＯＮＵへ定期的に管理情報取得メッセージを発し、これに対するＯＮＵからの応答メッセージをＯＬＴが受信し、この応答内容の変化を契機としてＯＬＴがステップ８２０以降を実施する構成としてもかまわない。
【００６２】
図９は、ＯＬＴに備えたＣＭ設定取得・変換機能の動作例を示すシーケンス図で、ＣＭ設定処理の一例を示す図である。 
ＯＬＴ１０１は、ＣＭ−ＯＮＵ対応表５５１を用いて、設定処理の対象とされたＯＮＵに対応付けられたＣＭ  ＩＰアドレス、ＣＭ設定情報管理サーバ２６３のＩＰアドレス、およびＣＭ設定情報ファイル名を取得する（ステップ９１０）。なお、ＣＭ設定情報管理サーバ２６３のＩＰアドレス、およびＣＭ設定情報ファイル名については、ＣＭ−ＯＮＵ対応表５５１から取得する代わりに、ＯＬＴに事前設定された値を用いても良い。また、この処理は、図６の処理終了直後（または更に時刻同期が行われた後）に実行されるのが一般的で、この場合はＣＭ  ＩＰアドレス、ＣＭ設定情報管理サーバ２６３のＩＰアドレス、およびＣＭ設定情報ファイル名が、図６のステップ６４０までに判っているのでステップ９１０を省略できる。
【００６３】
ＯＬＴ１０１は、上述の手順で得た情報を用いて、ＣＭ設定情報取得シーケンスを実行する（ステップ９２０）。具体的にはＣＭ設定情報管理サーバ２６３のＩＰアドレスとＣＭ設定情報ファイル名を用いて、ＣＭ設定情報管理サーバ２６３からＣＭ設定情報ファイルを取得する。このＣＭ設定情報取得シーケンスを実行する際のＰＯＮ側ＩＰアドレスには、先に得たＣＭ  ＩＰアドレスを用いる。このＣＭ設定情報取得シーケンスは、ＣＭ設定情報信号５２３を用いて行われる。ＤＯＣＳＩＳ標準に従えば、ＴＦＴＰによるファイル取得の形で実行される。すなわち、ＣＭ設定情報管理サーバへのＲＲＱ（Read ReQuest）メッセージ送信（ステップ９２１）と、それに続く、ＣＭ設定情報管理サーバからのＤＡＴＡメッセージ受信（ステップ９２２）およびＣＭ設定情報管理サーバへのＡＣＫメッセージ送信（ステップ９２３）のｋ回繰り返しにより行われる（ｋはＣＭ設定情報ファイルをＴＦＴＰデータブロックに分割した際の総ブロック数）。
【００６４】
次に、ＯＬＴ１０１は、取得したＣＭ設定情報ファイルを用いて、ＯＬＴ・ＯＮＵ設定シーケンスを実行する（ステップ９３０）。具体的には、ＯＬＴ  １０１は、後で詳細に説明する図１３に示すアルゴリズムを用いて、ＣＭ設定情報ファイルに含まれる設定パラメータを順に解釈する。そして、その設定パラメータの内容をＯＮＵ設定情報信号５４３、もしくはＯＬＴ自身への設定、もしくはその両方に変換する（どちらにも変換されない可能性もある）。ＯＬＴ自身への設定に変換した場合は、その設定をＯＬＴに反映する（ステップ９３４）。ＯＮＵ設定情報信号５４３に変換した場合は、設定対象のＯＮＵ１０２に対して、ＯＮＵ設定要求メッセージを送信する（ステップ９３１）。これを受信したＯＮＵ１０２は、要求された設定を自身に反映し（ステップ９３２）、ＯＮＵ設定応答メッセージをＯＬＴに向けて返信する（ステップ９３３）。これらのＯＮＵ設定要求メッセージおよびＯＮＵ設定応答メッセージは、いずれもＯＮＵ設定情報信号５４３の一つである。
【００６５】
尚、ＯＮＵ設定要求メッセージおよびＯＮＵ設定応答メッセージに用いられる具体的なプロトコルおよび詳細なメッセージ送受信シーケンスは、その設定内容により異なる。例えば、ＧＥ−ＰＯＮであれば、ＩＥＥＥ８０２．３ａｈ標準のＭＰＣＰや、ＯＡＭ副層が、ＯＮＵ設定要求メッセージやＯＮＵ設定応答メッセージに適宜用いられる。
【００６６】
図１０は、ＯＬＴに備えたＣＭ時刻同期機能の動作例を示すシーケンス図で、ＣＭ時刻同期処理の一例を示す図である。 
ＯＬＴ１０１は、ステップ６３０（図６）のＣＭ  ＩＰアドレス取得シーケンスまたは事前設定によって得られた時刻同期サーバ２６４のＩＰアドレスを用いて、時刻同期シーケンスを実行する（ステップ１０１０）。このときのＰＯＮ側ＩＰアドレスには、ＣＭ−ＯＮＵ対応表５５１に登録されているＣＭ  ＩＰアドレスのうちの一つを用いても、本発明のＯＬＴ１０１に割り当てられている他のＩＰアドレスを用いてもよい。この時刻同期シーケンスは、ＣＭ時刻同期信号５２４を用いて行われる。ＤＯＣＳＩＳ標準に従えば、一例としてＴｉｍｅプロトコルを用いて実行されるが、他の時刻同期プロトコル、例えば、ＮＴＰ（Network Time Protocol）を用いてもかまわない。Ｔｉｍｅプロトコルを用いる場合、この時刻同期シーケンスでは、時刻同期サーバ２６４へのＲｅｑｕｅｓｔメッセージ送信（ステップ１０１１）、時刻同期サーバ２６４からのＲｅｓｐｏｎｓｅメッセージ受信（ステップ１０１２）の順でパケット送受信が行われる。この時刻同期シーケンスの実行結果に基づき、ＯＬＴ１０１は、内蔵時計の時刻を時刻同期サーバ２６４と同期させる（ステップ１０１３）。
【００６７】
ＯＬＴ１０１は、ＰＯＮに登録済みの各ＯＮＵ１０２との間で、ＯＮＵ時刻同期シーケンスを適宜実行する（ステップ１０２０）。このＯＮＵ時刻同期シーケンスは、ＯＮＵ時刻同期信号５４４を用いて行われる。ＧＥ−ＰＯＮであれば、ＭＰＣＰが用いられ、ＯＮＵへのＧＡＴＥメッセージ送信（ステップ１０２１）、ＯＮＵからのＲＥＰＯＲＴメッセージ受信（ステップ１０２２）の手順により行われる。このＯＮＵ時刻同期シーケンスの実行結果に基づき、ＯＮＵ１０２は、内蔵時計の時刻をＯＬＴ１０１と同期させる（ステップ１０２３）。
【００６８】
図１１は、ＯＬＴに備えたＣＭ−ＯＮＵ対応表の構成例を示すメモリ構成図である。 
ＣＭ−ＯＮＵ対応表５５１には、ＣＭ  ＩＰアドレス取得処理によって得られたＣＭ  ＩＰアドレス１１０１、およびこれに対応するＯＮＵ固有識別子１１０４が記録される。ここで、ＯＮＵ固有識別子１１０４は、ＯＮＵ１０２のＭＡＣアドレスとしたが、ＯＮＵ１０２を一意に識別できる情報であれば他のものでもかまわない。例えば、ＯＮＵ毎に割り当てたＬＬＩＤ、およびＯＮＵが接続されているＰＯＮ回線を一意に表す番号との組合せを使用してもかまわない。さらに、ＣＭ−ＯＮＵ対応表５５１には、例えばＣＭ設定情報管理サーバＩＰアドレス１１０２や、ＣＭ設定情報ファイル名１１０３などのように、ＣＭ毎に設定される各種情報を含めてもかまわない。
【００６９】
図１２は、ＯＬＴがＣＭ設定情報取得シーケンスでＣＭ設定情報管理サーバから取得するＣＭ設定情報ファイルの構成例を示すフレーム構成図である。 
ＣＭ設定情報ファイルは、０個以上の設定パラメータ１２１０と、ＣＭ  ＭＩＣ（Message Integrity Check）１２２０、ＣＭＴＳ  ＭＩＣ  １２３０、Ｅｎｄ  ｏｆ  Ｄａｔａ  １２４０により構成される。
【００７０】
Ｅｎｄ  ｏｆ  Ｄａｔａ  １２４０以外の各パラメータ（ＣＭ  ＭＩＣ、ＣＭＴＳ  ＭＩＣを含む）は，タイプ１２１１、長さ１２１２、値１２１３で構成される、ＴＬＶ（Type-Length-Value）形式をとる。タイプ１２１１には、各設定パラメータ１２１０の意味を表すタイプ値が格納される。ＣＭ  ＭＩＣ  １２２０およびＣＭＴＳ  ＭＩＣ  １２３０のタイプ１２１１には、それぞれに割り当てられた特定のタイプ値が格納される。長さ１２１２は、値１２１３のバイト長を表す。値１２１３には、各設定パラメータ１２１０の設定値が格納される。ＣＭ  ＭＩＣ  １２２０およびＣＭＴＳ  ＭＩＣ  １２３０の値１２１３には、設定パラメータの全部もしくは一部を元に計算したハッシュ値が格納される。Ｅｎｄ  ｏｆ  Ｄａｔａ  １２４０は、ファイルの終端を表す特定のタイプ値のみで構成される。
【００７１】
尚、上記説明では、ＤＯＣＳＩＳ標準に従ったＣＭ設定情報ファイルフォーマットを用いたが、本発明はこのフォーマットに従っていなくても実施可能である。
【００７２】
図１３は、ＯＬＴに備えたＣＭ設定取得・変換機能の動作例を示す動作フローロ図で、ＯＬＴ・ＯＮＵ設定シーケンスが行う処理の一例を示す図である。 
ＯＬＴ１０１内のＣＭ設定取得・変換機能５０３は、図９のＣＭ設定情報取得シーケンス９２０によりＣＭ設定情報ファイルを取得すると、まず、ＣＭ  ＭＩＣおよびＣＭＴＳ  ＭＩＣのパラメータをファイル内から探し、それらの値を読み出す（ステップ１３０１）。続いて、ＣＭ設定情報ファイル内の設定パラメータの全部もしくは一部を元に、ＣＭ  ＭＩＣおよびＣＭＴＳ  ＭＩＣのハッシュ値を計算する（ステップ１３０２）。そして、ステップ１３０１のＭＩＣ値と、ステップ１３０２のＭＩＣ値とを比較する（ステップ１３０３）。一致しなければＣＭ設定情報ファイルに異常があるとみなし、このＣＭ設定情報ファイルに関する処理を終了する。一致すれば次のステップへ移行する。
次に、設定パラメータを順番に読むためにループ変数ｉを１に初期化し（ステップ１３１１）、先頭からｉ番目の設定パラメータのタイプを読み出す（ステップ１３２１）。そして、このタイプ値がＥｎｄ  ｏｆ  Ｄａｔａを表すものならば（ステップ１３２２）、設定ファイルに対応する設定が完了したものとして、このＣＭ設定情報ファイルに関する処理を終了する。 
タイプ値がＥｎｄ  ｏｆ  Ｄａｔａ以外のものであれば、その設定パラメータの値を読み出し、タイプ値とともに、ＰＯＮにおいてどのような設定が必要か解釈する（ステップ１３２３）。
【００７３】
そして、ステップ１３２３における解釈の結果、ＯＮＵの設定が必要であれば（ステップ１３３１）、対応するＯＮＵ設定要求メッセージをＯＮＵへ送信する（ステップ１３３２）。その結果、設定が成功した（設定成功を表すＯＮＵ設定応答メッセージを受信した、もしくは対応するＯＮＵ設定応答メッセージがない設定要求である）場合は、ステップ１３４１へ移行する（ステップ１３３３）。設定に失敗した（設定失敗を表すＯＮＵ設定応答メッセージを受信した）場合は、失敗内容や今までのリトライ回数等を元にその設定をリトライすべきか否かを判断し（ステップ１３３４）、リトライすべきであればステップ１３３２へ戻り、すべきでなければステップ１３５１へ移行する。
【００７４】
ＯＮＵ側の設定が不要な場合、もしくはＯＮＵ側の設定に成功した場合は、ステップ１３２３における解釈の結果に基づき、ＯＬＴ側の設定が必要かどうか判断する（ステップ１３４１）。そして、ＯＬＴ側の設定が必要であれば、その設定をＯＬＴに反映する（ステップ１３４２）。
【００７５】
以上の動作により、先頭からｉ番目の設定パラメータの設定処理が終了したら、ループ変数ｉをインクリメントし（ステップ１３５１）、ステップ１３２１へ戻る。尚、上記ステップ１３０１〜１３０３によるＭＩＣ値チェックは、ＤＯＣＳＩＳ標準に基づく処理として含まれているが、本発明はこの処理を行わなくても実施可能である。
【００７６】
図１６は、本発明のＯＬＴの構成例を示す機能ブロック図である。 
本発明のＯＬＴ１０１の内部ハードウェアには、インターフェースモジュール１６１０と制御モジュール１６２０の二種類のハードウェアモジュールがそれぞれ一つ以上含まれる。同図では、１台のＯＬＴ１０１にインターフェースモジュール１６１０が一つ含まれ、一つのインターフェースモジュール１６１０が一つのＮＮＩ１１１と一つのＰＯＮ回線１１３に接続されるものとして記載したが、１台のＯＬＴ１０１にインターフェースモジュール１６１０が複数含まれても、一つのインターフェースモジュール１６１０が複数のＮＮＩ１１１に接続されても、複数のＰＯＮ回線１１３に接続されても良い。また、同図では、１台のＯＬＴ１０１が制御モジュール１６２０を一つ備えるものとして記載したが、１台のＯＬＴ１０１が制御モジュール１６２０を複数備え、これらを用いて冗長構成を組んでもよい。
【００７７】
インターフェースモジュール１６１０と制御モジュール１６２０は、内部ネットワーク１６３０によって相互に接続される。制御モジュール１６２０のＣＰＵ１６２１は、内部ネットワーク１６３０を通してインターフェースモジュール１６１０のＰＯＮ  ＯＬＴコントローラ１６１１と通信を行うことにより、インターフェースモジュール１６１０、およびインターフェースモジュールからＰＯＮ回線を介して接続されるＯＮＵを制御する。
【００７８】
インターフェースモジュール１６１０は、通常のＰＯＮシステムのＯＬＴに含まれるインターフェースモジュールと同じものである。インターフェースモジュール１６１０は、内部にＰＯＮ  ＯＬＴコントローラ１６１１、メモリ１６１２、ＮＮＩ側インターフェース１６１３、ＰＯＮ回線インターフェース１６１４、内部ネットワークインターフェース１６１５を備える。内部ネットワークインターフェース１６１５は内部ネットワーク１６３０に接続される。ＮＮＩ側インターフェース１６１３はＯＬＴ装置外部へＮＮＩ１１１を提供する。ＰＯＮ回線インターフェース１６１４はＯＬＴ装置外部のＰＯＮ回線１１３と接続される。
【００７９】
ＰＯＮ  ＯＬＴコントローラ１６１１は、内部ネットワークインターフェース１６１５を介して、制御モジュール１６２０との間で制御通信を行う。その制御通信の結果は、インターフェースモジュール１６１０自身、およびＰＯＮ回線を介して接続されるＯＮＵに反映される。また、ＰＯＮ  ＯＬＴコントローラ１６１１は、ＮＮＩ側インターフェース１６１３とＰＯＮ回線インターフェース１６１４との間で、主信号データパケットの中継を適切に行う。メモリ１６１２は、ＰＯＮ  ＯＬＴコントローラ１６１１が適切に動作するために必要なプログラムおよびデータを格納するための記憶装置である。
【００８０】
制御モジュール１６２０は、内部にＣＰＵ１６２１、外部ネットワークインターフェース１６２４、内部ネットワークインターフェース１６２５を備える。これらは、制御モジュール内部バス１６２３を介して接続される。また、制御モジュール１６２０はメモリ１６２２も備え、ＣＰＵ１６２１と接続される。内部ネットワークインターフェース１６２５は内部ネットワーク１６３０に接続される。外部ネットワークインターフェース１６２４はＯＬＴ装置外部へ装置管理インターフェース１１２を提供する。
【００８１】
制御モジュール１６２０のＣＰＵ１６２１は、外部ネットワークインターフェース１６２４を介してＣＭＴＳ／ＣＭ制御信号１２２を送受信し、この制御信号を適切に処理し、その結果に基づくインターフェースモジュール１６１０およびＯＮＵの制御通信を、内部ネットワークインターフェース１６２５を介して行う。メモリ１６２２は、ＣＰＵ１６２１が適切に動作するために必要なプログラムおよびデータを格納するための記憶装置である。
【００８２】
図１８は、図９のＣＭ設定取得・変換シーケンスによってＯＬＴが得た上り通信帯域幅の設定を、該当ＯＮＵのＰＯＮ区間のＤＢＡ設定に反映する動作例を示すシーケンス図で、ＣＭ設定取得・変換機能による処理の一例を示す図である。 
ＯＬＴ１０１は、図９に示したＣＭ設定情報取得シーケンス９２０により、あるＯＮＵに対応するＣＭ設定情報ファイルを取得する。このＣＭ設定情報ファイルには、該当ＯＮＵに割り当てられたＬＬＩＤに対応するサービスフローの、上り通信帯域幅の設定情報が含まれる。ＤＯＣＳＩＳ標準に基づくと、この上り通信帯域幅設定には、持続的上り最大通信帯域幅、上り最大バースト長、上り最小予約通信帯域幅といった情報が含まれる。そして、図９に示したＯＬＴ・ＯＮＵ設定シーケンス９３０により、これらの上り通信帯域幅設定情報を該当ＬＬＩＤに対する設定としてＯＬＴ内に記憶する（ステップ１８１０）。
【００８３】
次に、ＯＮＵ１０２は、ＯＮＵ内の上りトラフィックキューに蓄積されたデータ量を報告するパケットを、ＯＬＴ１０１へ定期的に送信する（ステップ１８２１）。このパケットには、例えばＧＥ−ＰＯＮであればＭＰＣＰのＲＥＰＯＲＴメッセージが用いられる。
ＯＮＵ内の上りトラフィックキューに蓄積されたデータ量の報告を受けたＯＬＴ１０１は、この情報と、ステップ１８１０にて予め設定された上り通信帯域幅設定情報を用いて、該当ＯＮＵに割り当てる上りトラフィック送信開始時刻と送信量を決定する（ステップ１８２２）。この決定アルゴリズムは本発明の範囲外であり、任意のアルゴリズムを適用可能である。
【００８４】
次に、ＯＬＴ１０１は、ステップ１８２２により決定した上りトラフィック送信開始時刻と送信量を通知するパケットを、該当ＯＮＵ１０２へ返送する（ステップ１８２３）。このパケットには、例えばＧＥ−ＰＯＮであればＭＰＣＰのＧＡＴＥメッセージが用いられる。 
ＯＮＵ１０２は、ステップ１８２３によって通知された上りトラフィック送信開始時刻と送信量に従い、該当ＬＬＩＤの上りトラフィックをＯＬＴ１０１に向けて送信する（ステップ１８３１）。ＯＬＴ１０１は、該当ＯＮＵ１０２から受信した該当ＬＬＩＤの上りトラフィックを、ＮＮＩ１１１を通して主信号中継網２３１に向けて中継する（ステップ１８３２）。
【００８５】
以下では、さらに図面を用いて本発明のＰＯＮを用いた通信システムの別の構成例と動作を説明する。図１４は、ＰＯＮの装置と通信インターフェース構成、および、送受信する信号の別の構成例を示す説明図である。 
先に説明したＰＯＮでは、主信号・主信号経路制御信号１２１のための物理インターフェースであるＮＮＩ１１１と、ＣＭＴＳ／ＣＭ装置制御信号１２２のための物理インターフェースである装置管理インターフェース１１２が、異なる物理インターフェースとなっていた。一方、以下で説明する通信システムは、両者の物理インターフェースとして同一のＮＮＩ（兼装置管理インターフェース）１４１１を用いた点が先のＰＯＮと異なる。 
主信号・主信号経路制御信号１２１と、ＣＭＴＳ／ＣＭ装置制御信号１２２とは、ＶＬＡＮ（Virtual LAN）等によりレイヤ２で論理的に分離されるか、もしくはパケットの送信元または宛先ＩＰアドレスによって区別される。
【００８６】
図１５は、本発明のＰＯＮを用いた通信システムの別の構成例を示すシステム構成図である。 
先に説明した通信システムでは、ＣＭＴＳ２０１についても、主信号・主信号経路制御信号のための物理インターフェースであるＮＳＩ２１１と、ＣＭＴＳ／ＣＭ装置制御信号のための物理インターフェースである装置管理インターフェース２１２が、異なる物理インターフェースとなっていた。一方、同図で示す別の通信システムのＣＭＴＳ１５０１では、両者の物理インターフェースは同一のＮＳＩ（兼装置管理インターフェース）１５１１である。 
ＯＬＴ１４０１のＮＮＩ（兼装置管理インターフェース）１４１１、およびＣＭＴＳ１５０１のＮＳＩ（兼装置管理インターフェース）１５１１は、いずれも主信号中継網２３１の接続点となるルータ／レイヤ２スイッチ２４１に接続される。ＣＭＴＳ／ＣＭ装置制御信号は主信号とともに一旦主信号中継網を経由し、レイヤ２スイッチングもしくはＩＰルーティングによりＣＭＴＳ／ＣＭ装置管理網２３２へ中継される。
【００８７】
図１７は、図１４と図１５で示した別構成のＰＯＮで用いる別のＯＬＴの構成例を示すブロック構成図である。 
ＯＬＴ１４０１は、その内部に、インターフェースモジュール１６１０および制御モジュール１６２０の他に、レイヤ２スイッチまたはレイヤ３スイッチ１７３０を備える。 
インターフェースモジュール１６１０のＮＮＩ側インターフェース１６１３、および制御モジュール１６２０の外部ネットワークインターフェース１６２４は、ＯＬＴの内部でレイヤ２スイッチまたはレイヤ３スイッチ１７３０と接続される。また、レイヤ２スイッチまたはレイヤ３スイッチ１７３０は、ＯＬＴ装置外部にＮＮＩ（兼装置管理インターフェース）１４１１を提供する。レイヤ２スイッチまたはレイヤ３スイッチ１７３０は、これらのインターフェースの間で、主信号・主信号経路制御信号１２１およびＣＭＴＳ／ＣＭ制御信号１２２を、レイヤ２スイッチングもしくはＩＰルーティングにより中継する。
【００８８】
図１９は、本発明のＰＯＮを用いた通信システムの他の構成例を示すシステム構成図である。 
同図が示すシステムの構成は、ＯＮＵ１０２がＭＴＡ内蔵ＯＮＵ１９０２に置き換わること、ＭＴＡ内蔵ＯＮＵ１９０２がアナログ電話機１９０３を接続可能なＰＯＴＳ（Plain Old Telephone Service）回線１９０５を備えること、主信号中継網２３１の中にＭＴＡ  ＩＰアドレス割当サーバ１９６１が設置されることを除いて、図２に示したシステムの構成と同じである。
【００８９】
ＭＴＡ内蔵ＯＮＵ１９０２は、ＭＴＡ内蔵ＣＭ１９１２と同様、装置の内部にＭＴＡ（Media Terminal Adapter）機能を備える。ＭＴＡは、ＣａｂｌｅＬａｂｓ社により策定されたＶｏＩＰ（Voice over IP）標準であるＰａｃｋｅｔＣａｂｌｅ規格に基づくＶｏＩＰアダプタ機能である。ＭＴＡ内蔵ＯＮＵ１９０２は、主信号と同じ通信経路でＭＴＡ  ＩＰアドレス割当サーバ１９６１と通信を行い、ＭＴＡ機能のためのＩＰアドレスの割当を受ける。ＰａｃｋｅｔＣａｂｌｅ規格によると、このＩＰアドレス割当にはＤＨＣＰプロトコルが用いられる。
【００９０】
ＭＴＡ内蔵ＯＮＵ１９０２のＭＴＡ機能は、ＭＴＡ機能用に得たＩＰアドレスを用いてＶｏＩＰ通信を行うことにより、ＰＯＴＳ回線１９０５に接続された電話機１９０３に通話機能を提供する。 
尚、図示していないが、ＭＴＡ  ＩＰアドレス割当サーバ１９６１以外にも、ＭＴＡ内蔵ＯＮＵ１９０２のＭＴＡ機能の初期設定・管理・通話制御を行うための各種サーバが、主信号中継網２３１もしくはＣＭＴＳ／ＣＭ装置管理網２３２内に置かれるのが一般的である。これらの各種サーバは、ＰａｃｋｅｔＣａｂｌｅ規格に定められているものと同じものでよい。
【００９１】
図２０は、ＭＴＡ内蔵ＯＮＵの構成例を示すブロック構成図である。  
ＭＴＡ内蔵ＯＮＵ１９０２は、内部にＯＮＵ機能２００２と、ＭＴＡ機能２０１０を備える。ＯＮＵ機能２００２は、後述のＭＴＡ  ＩＰアドレス割当サーバのＩＰアドレス情報の送受信処理を行うことを除いて、通常のＯＮＵ１０２と機能的に同じものである。ＭＴＡ機能２０１０は、ＰａｃｋｅｔＣａｂｌｅ規格に基づくＶｏＩＰアダプタ機能を提供する部分であり、ＭＴＡ内蔵ＣＭ１９１２のＭＴＡ機能と同等のものである。 
ＭＴＡ機能２０１０は、ＯＮＵ機能２００２のＵＮＩ側に装置内で接続され、ＣＰＥとして動作する。Ｌ２ＳＷ２０３０を用いて装置内部でＵＮＩを分岐することにより、ＭＴＡ機能２０１０と加入者が用意したＣＰＥ２４３の両方をＵＮＩに接続することができる。
【００９２】
図２１は、ＭＴＡ内蔵ＯＮＵの初期設定処理の動作例を示すシーケンス図である。 
まず、ＯＬＴ１０１は、図６に示したＣＭ  ＩＰアドレス取得処理により、ＣＭ  ＩＰアドレス割当サーバ２６１から、ＭＴＡ内蔵ＯＮＵ１９０２内のＯＮＵ機能２００２に対応付けられたＩＰアドレスを取得・記録する。このＣＭ  ＩＰアドレス取得処理中のＣＭ  ＩＰアドレス取得シーケンス６３０において、ＯＬＴ１０１は、ＯＮＵ機能２００２に対応付けられたＩＰアドレス、ＣＭ設定情報管理サーバ２６３のＩＰアドレスおよび設定情報のファイル名の他に、ＭＴＡ  ＩＰアドレス割当サーバ１９６１のＩＰアドレスの情報も得る（ステップ２１１０）。
【００９３】
続いて、ＯＬＴ１０１は、ステップ２１１０にて得たＭＴＡ  ＩＰアドレス割当サーバ１９６１のＩＰアドレスを、適切なＯＮＵ装置制御信号１２４を用いて、対応するＭＴＡ内蔵ＯＮＵ１９０２内のＯＮＵ機能２００２に通知する（ステップ２１２１）。ＧＥ−ＰＯＮであれば、ＯＡＭ副層のＰＤＵの一種であるＩｎｆｏｒｍａｔｉｏｎメッセージにより通知する方法が考えられるが、他のメッセージ形式を用いてもかまわない。この通知を受信したＯＮＵ機能２００２は、通知されたＭＴＡ  ＩＰアドレス割当サーバ１９６１のＩＰアドレスを、ＭＴＡ内蔵ＯＮＵ１９０２の装置内通信により、ＭＴＡ機能２０１０に通知する（ステップ２１２２）。ＭＴＡ機能２０１０は、通知されたＭＴＡ  ＩＰアドレス割当サーバ１９６１のＩＰアドレスを記憶する。
【００９４】
次に、ＯＬＴ１０１および、ＭＴＡ内蔵ＯＮＵ１９０２内のＯＮＵ機能２００２は、ステップ２１１０に続くＣＭ互換ＯＮＵ初期設定手順を実施する。この手順には、図９のＣＭ設定取得・変換処理、および図１０のＣＭ時刻同期処理が含まれる（ステップ２１３１）。ステップ２１３１が終了し、ＭＴＡ機能２０１０がＯＮＵ機能２００２およびＯＬＴ１０１を通して主信号中継網２３１との間で通信可能になると、ＯＮＵ機能２００２はＭＴＡ内蔵ＯＮＵ１９０２の装置内通信により、ＭＴＡ機能の初期設定処理の開始要求をＭＴＡ機能２０１０に通知する（ステップ２１３２）。
【００９５】
初期設定処理の開始要求を受信したＭＴＡ機能２０１０は、ＭＴＡ  ＩＰアドレス取得シーケンス２１４０を開始する。ＰａｃｋｅｔＣａｂｌｅ規格に従うならば、このＩＰアドレス取得はＤＨＣＰを用いて行われる。ＭＴＡ機能２０１０は、まずＤＨＣＰ  Ｄｉｓｃｏｖｅｒメッセージを、ブロードキャストアドレスを宛先として送信する（ステップ２１４１）。ＤＨＣＰ  Ｄｉｓｃｏｖｅｒメッセージを受信したＭＴＡ  ＩＰアドレス割当サーバ１９６１は、該当ＭＴＡ機能２０１０に対してＤＨＣＰ  Ｏｆｆｅｒメッセージを返信する（ステップ２１４２）。このＯｆｆｅｒメッセージには、該当ＭＴＡ機能２０１０に割り当てるＩＰアドレスの情報が含まれる。
【００９６】
ＤＨＣＰ  Ｏｆｆｅｒメッセージを受信したＭＴＡ機能２０１０は、その送信元ＩＰアドレスが、ステップ２１２２にて通知を受けたＭＴＡ  ＩＰアドレス割当サーバのＩＰアドレスと一致するかどうかを確認する。一致しない場合は、ＭＴＡ機能の初期設定処理を中断し、ステップ２１４４以降を実施しない（ステップ２１４３）。これにより、ＤＨＣＰ  Ｄｉｓｃｏｖｅｒメッセージを受信した不正なＤＨＣＰサーバが、不正な情報を含むＤＨＣＰ  ＯｆｆｅｒメッセージをＭＴＡ機能２０１０に対して返信した場合でも、ＭＴＡ機能２０１０はこれを無視することにより、不正な初期設定が行われることを防止できる。
【００９７】
ステップ２１４３にて、Ｏｆｆｅｒメッセージの送信元ＩＰアドレスと、ステップ２１２２にて通知を受けたＭＴＡ  ＩＰアドレス割当サーバのＩＰアドレスとが一致した場合、ＭＴＡ機能２０１０は、該当ＩＰアドレスに向けてＤＨＣＰ  Ｒｅｑｕｅｓｔメッセージを送信する（ステップ２１４４）。これに対して、ＭＴＡ  ＩＰアドレス割当サーバ１９６１は、ＭＴＡ機能２０１０へＤＨＣＰ  Ａｃｋメッセージを返信する（ステップ２１４５）。このＡｃｋメッセージには、該当ＭＴＡ機能２０１０に割り当てるＩＰアドレスの情報が含まれており、これによりＭＴＡ機能２０１０へのＩＰアドレス割当が完了したことになる。そして、以降は通常のＭＴＡと同様の初期設定処理が行われる（ステップ２１５０）。
【図面の簡単な説明】
【００９８】
【図１】ＰＯＮの装置と通信インターフェース構成、および、送受信する信号の構成例を示す説明図である。
【図２】本発明のＰＯＮを用いた通信システムの構成例を示すシステム構成図である。
【図３】本発明のＰＯＮに備えるＯＬＴの内部機能と、各機能が送受信する信号の構成例を示すブロック構成図である。
【図４】本発明のＰＯＮに備えるＯＮＵの内部機能と、各機能が送受信する信号の構成例を示すブロック構成図である。
【図５】ＯＬＴに備えたＣＭ装置制御信号変換機能の構成と送受信する信号の構成例を示すブロック構成図である。
【図６】ＯＬＴに備えたＣＭ  ＩＰアドレス取得機能の動作例を示すシーケンス図である。
【図７】ＯＬＴに備えたＣＭ管理情報変換機能の動作例を示すシーケンス図である。
【図８】ＯＬＴに備えたＣＭ管理情報変換機能の動作例を示すシーケンス図である。
【図９】ＯＬＴに備えたＣＭ設定取得・変換機能の動作例を示すシーケンス図である。
【図１０】ＯＬＴに備えたＣＭ時刻同期機能の動作例を示すシーケンス図である。
【図１１】ＯＬＴに備えたＣＭ−ＯＮＵ対応表の構成例を示すメモリ構成図である。
【図１２】ＣＭ設定情報管理サーバから取得するＣＭ設定情報ファイルの構成例を示すフレーム構成図である。
【図１３】ＯＬＴに備えたＣＭ設定取得・変換機能の動作例を示す動作フロー図である。
【図１４】ＰＯＮの装置と通信インターフェース構成、および、送受信する信号の別の構成例を示す説明図である。
【図１５】ＰＯＮを用いた通信システムの別の構成例を示すシステム構成図である。
【図１６】本発明のＯＬＴの構成例を示すブロック構成図である。
【図１７】本発明のＯＬＴの別の構成例を示すブロック構成図である。
【図１８】図９のＣＭ設定取得・変換シーケンスによってＯＬＴが得た上り通信帯域幅の設定を、該当ＯＮＵのＰＯＮ区間のＤＢＡ設定に反映する動作例を示すシーケンス図である。
【図１９】本発明のＰＯＮを用いた通信システムの他の構成例を示すシステム構成図である。
【図２０】ＭＴＡ内蔵ＯＮＵの構成例を示すブロック構成図である。
【図２１】ＭＴＡ内蔵ＯＮＵの初期設定処理の動作例を示すシーケンス図である。
【符号の説明】
【００９９】
１０１・・・ＯＬＴ、      １０２・・・ＯＮＵ、      １１１・・・ＮＮＩ、
１１２・・・ＯＬＴの装置管理インターフェース、
１１３・・・ＰＯＮ回線（光ファイバ）、            １１５・・・ＵＮＩ、
２０１・・・ＣＭＴＳ、    ２０２・・・ＣＭ、        ２１１・・・ＮＳＩ、
２３１・・・主信号中継網、            ２３２・・・ＣＭＴＳ／ＣＭ装置管理網、
２３３・・・加入者網、                ２４３・・・ＣＰＥ、
２５０・・・ＣＭＴＳ／ＣＭ装置管理システム、
２５１・・・ＣＭＴＳ装置管理サーバ、
２６１・・・ＣＭ  ＩＰアドレス割当サーバ、
２６２・・・ＣＭ管理情報収集サーバ、    ２６３・・・ＣＭ設定情報管理サーバ、
３０３・・・ＣＭＴＳ装置制御信号処理機能、
３０４・・・ＣＭ装置制御信号変換機能、  ３２１・・・ＣＭＴＳ装置制御信号、
３２２・・・ＣＭ装置制御信号、      ４０３・・・ＯＮＵ装置制御信号処理機能、
５０１・・・ＣＭ  ＩＰアドレス取得機能、  ５０２・・・ＣＭ管理情報変換機能、
５０３・・・ＣＭ設定取得・変換機能、
１６１１・・・ＰＯＮ  ＯＬＴコントローラ、    １６１２・・・メモリ、
１６１３・・・ＮＮＩ側インターフェース、
１６１４・・・ＰＯＮ回線インターフェース、
１６１５・・・内部ネットワークインターフェース、
１６２１・・・ＣＰＵ、    １６２２・・・メモリ、
１６２４・・・外部ネットワークインターフェース、
１６２５・・・内部ネットワークインターフェース、
１６３０・・・内部ネットワーク、
１７３０・・・レイヤ２スイッチまたはレイヤ３スイッチ、
１９０２・・・ＭＴＡ内蔵ＯＮＵ、    １９０３・・・アナログ電話機、
１９０５・・・ＰＯＴＳ回線、    １９１２・・・ＭＴＡ内蔵ＣＭ、
１９６１・・・ＭＴＡ  ＩＰアドレス割当サーバ、
２００２・・・ＯＮＵ機能、    ２０１０・・・ＭＴＡ機能、
２０３０・・・レイヤ２スイッチ。
【図１】
0005094675.tif 000002
【図２】
0005094675.tif 000003
【図３】
0005094675.tif 000004
【図４】
0005094675.tif 000005
【図５】
0005094675.tif 000006
【図６】
0005094675.tif 000007
【図７】
0005094675.tif 000008
【図８】
0005094675.tif 000009
【図９】
0005094675.tif 000010
【図１０】
0005094675.tif 000011
【図１１】
0005094675.tif 000012
【図１２】
0005094675.tif 000013
【図１３】
0005094675.tif 000014
【図１４】
0005094675.tif 000015
【図１５】
0005094675.tif 000016
【図１６】
0005094675.tif 000017
【図１７】
0005094675.tif 000018
【図１８】
0005094675.tif 000019
【図１９】
0005094675.tif 000020
【図２０】
0005094675.tif 000021
【図２１】
0005094675.tif 000022